(57)【要約】【課題】物理ポートを認識した各種処理をＯＮＵ単位で可能とする光ネットワークのセンタ側終端装置を提供する。【解決手段】ＯＮＵ２０８とＥＰＯＮを用いて接続されたＯＬＴ２０４内には、加入者番号と処理内容を対応付けた加入者処理データベース２２５と、加入者番号、ロジカルリンク識別子およびＯＮＵ  ＭＡＣを対応付けたロジカルリンク識別子データベース２２６が設けられている。ＯＬＴ２０４はＯＮＵ２０８と送受信するパケットのロジカルリンク識別子と加入者番号を対応付けて、加入者番号に対応する処理を物理ポートを認識することで可能にする。【選択図】図２
2006135677.tif 000002
【特許請求の範囲】
【請求項１】
受動的な分岐装置を経由して接続先のそれぞれの加入者側終端装置までのそれぞれの論理的なリンクを識別するためのロジカルリンク識別子をこれらの加入者側終端装置と個別に対応付けて記憶したロジカルリンク識別子記憶手段と、
前記それぞれの加入者側終端装置に対応付けてこれらを通過してそれぞれの配下の通信端末に送出されるべきパケットに対する処理内容を記憶した処理内容記憶手段と、
前記加入者側終端装置に送出されるパケットに対して前記処理内容記憶手段の記憶内容に応じた処理を行う処理手段
とを具備することを特徴とする光ネットワークのセンタ側終端装置。
【請求項２】
受動的な分岐装置を経由して接続先のそれぞれの加入者側終端装置までのそれぞれの論理的なリンクを識別するためのロジカルリンク識別子をこれらの加入者側終端装置と個別に対応付けて記憶したロジカルリンク識別子記憶手段と、
前記それぞれの加入者側終端装置に対応付けてこれらを通過してそれぞれの配下の通信端末に送出されるべきパケットに対する処理内容を記憶した処理内容記憶手段と、
前記加入者側終端装置から受信したパケットに対して前記処理内容記憶手段の記憶内容に応じた処理を行う処理手段
とを具備することを特徴とする光ネットワークのセンタ側終端装置。
【請求項３】
前記加入者側終端装置に送出されるべきパケットに記された送信先のアドレスを参照して前記加入者側終端装置を判別する加入者側終端装置判別手段と、
前記処理手段によって処理された後のパケットに対して、前記ロジカルリンク識別子記憶手段の記憶内容に応じたロジカルリンク識別子を付加するロジカルリンク識別子付加手段と、
このロジカルリンク識別子付加手段によってロジカルリンク識別子の付加されたパケットを前記加入者側終端装置に送信するパケット送信手段
とを更に具備することを特徴とする請求項１記載の光ネットワークのセンタ側終端装置。
【請求項４】
前記加入者側終端装置から送られてくるパケットを受信するパケット受信手段と、
このパケット受信手段によって受信されたパケットから、前記ロジカルリンク識別子を取得するロジカルリンク識別子取得手段と、
このロジカルリンク識別子取得手段の取得したロジカルリンク識別子をキーとして前記ロジカルリンク識別子記憶手段から対応する加入者側終端装置を検索する加入者側終端装置検索手段と、
この加入者側終端装置検索手段の検索によって得られた加入者側終端装置をキーとして前記処理内容記憶手段を検索して対応する処理内容を検索する処理内容検索手段
とを更に具備することを特徴とする請求項２記載の光ネットワークのセンタ側終端装置。
【請求項５】
前記処理手段によって処理された後のパケットから、前記ロジカルリンク識別子記憶手段の記憶内容に応じたロジカルリンク識別子を削除するロジカルリンク識別子削除手段
を更に具備することを特徴とする請求項４記載の光ネットワークのセンタ側終端装置。
【請求項６】
前記加入者側終端装置ごとに固定しない浮動状態のロジカルリンク識別子と固定したロジカルリンク識別子を対応付けた浮動・固定ロジカルリンク対応記憶手段を備え、
前記ロジカルリンク識別子取得手段は、前記浮動状態のロジカルリンク識別子を取得する浮動ロジカルリンク識別子取得手段と、この浮動ロジカルリンク識別子取得手段が取得した浮動状態のロジカルリンク識別子を前記浮動・固定ロジカルリンク対応記憶手段を用いて固定ロジカルリンク識別子に変換する識別子変換手段を具備する
ことを特徴とする請求項４記載の光ネットワークのセンタ側終端装置。
【請求項７】
前記光ネットワークは、ＥＰＯＮであることを特徴とする請求項１または請求項２記載のセンタ側終端装置。
【請求項８】
それぞれの加入者側終端装置に対応する物理ポートを具備し、前記処理手段はこれらの物理ポートに対応させて前記処理内容記憶手段の記憶内容に応じた処理を行うことを特徴とする請求項１または請求項２記載の光ネットワークのセンタ側終端装置。
【請求項９】
内部回路の少なくとも一部が１つの集積回路として構成されていることを特徴とする請求項１記載の光ネットワークのセンタ側終端装置。
【発明の詳細な説明】
【技術分野】
【０００１】
本発明は光ネットワークに使用されるセンタ側終端装置に係わる。詳細には、光ファイバ網の途中に分岐装置を挿入して、一本のファイバを複数のユーザ端末に分岐して接続するようにした光ネットワークで、論理ノード間の接続を表わすロジカルリンク（Logical Link）を識別するようにした光ネットワークのセンタ側終端装置に関する。
【背景技術】
【０００２】
既存の電話回線を使用して高速なインターネット接続環境を実現する通信技術としてＡＤＳＬ（Asymmetric Digital Subscriber Line）等のｘＤＳＬ（x Digital Subscriber Line）技術を使用したネットワークシステムが普及している（たとえば特許文献１参照）。
【０００３】
ｘＤＳＬを使用したネットワークシステムでは、音声通話で使用されない高周波数帯域の周波数を用いて変調を行う。このため、加入者回線収容装置と個々の加入者宅をそれぞれ接続する回線の長さが長いと高周波成分の伝送損失を生じ、通信速度に限界を生じさせるという問題がある。また、各加入者宅までメタル回線を個別に敷設する必要があるので、既存の電話網を利用する場合は問題ないが、新たに伝送路を設けてネットワークシステムを構築しようとする場合には、そのコストが高くなるという問題がある。また、ＩＰ（Internet Protocol）アドレスをユーザに動的に割り当てるＤＨＣＰ（Dynamic Host Configuration Protocol）への移行の要請もある。更に、映像を配信する際の効率的な通信方法としてマルチキャスト通信の要望も強くなっている。
【０００４】
そこで、１本の光ファイバに分岐装置（スプリッタ）を接続して複数本に分岐し、分岐後のケーブルをそれぞれの加入者宅に接続すると共に、イーサネット（登録商標）を使用してパケット通信を行うＥＰＯＮ（Ethernet（登録商標） Passive Optical Network）と呼ばれる光ネットワークシステムが注目を集めている（たとえば特許文献２参照）。この光ネットワークシステムでは、たとえば複数の加入者宅の近くまで１本の光ファイバを配置すればよい。したがって、新たにネットワークシステムを構築する際のコストダウンを図ることができる。また、マルチキャスト通信を行う際に配信するデータを、通信端末の数に対応させてコピーする必要もない。
【特許文献１】特開平１１−２８５０３５号公報（第００３１段落、図１）
【特許文献２】特開２００４−１５３８３６号公報（第０００３段落、図１）
【発明の開示】
【発明が解決しようとする課題】
【０００５】
図１９は、ＡＤＳＬ通信技術を使用したネットワークシステムの要部を表わしたものである。加入者回線収容装置１０１は、それぞれメタル回線１０２1、１０２2、……１０２nによって加入者宅１０３1、１０３2、……１０３nに１対１で接続されている。各加入者宅１０３1、１０３2、……１０３nには、パーソナルコンピュータ等の通信端末１０４1、１０４2、……１０４nが配置されている。
【０００６】
それぞれの加入者宅１０３1、１０３2、……１０３nでは、ＯＳ（Operating System）やデバイスの進化等によって、通信端末１０４1、１０４2、……１０４nを頻繁に買い換えることも多い。したがって、加入者回線収容装置１０１から見たときの各通信端末１０４1、１０４2、……１０４nのＭＡＣアドレス（Media Access Control Address）は、必ずしも一定していないことになる。
【０００７】
しかしながら、この図１９に示したネットワークシステムでは、メタル回線１０２1、１０２2、……１０２nが加入者宅１０３1、１０３2、……１０３nと１対１に対応して接続されている。したがって、個々の通信端末１０４1、１０４2、……１０４nに至る直前の各加入者宅１０３1、１０３2、……１０３nまでのロジカルリンクは固定的であり、これを基にして回線ごとフィルタ処理等の処理を行うことが可能である。
【０００８】
図２０は、これに対して、ＥＰＯＮを使用したネットワークシステムの要部を表わしたものである。加入者回線収容装置としてのＯＬＴ（Optical Line Terminal：センタ側終端装置）１１１に接続された１本の光ファイバ１１２は、受動的な分岐装置１１３によってｎ本の光ファイバ１１４1、１１４2、……１１４nに分岐され、それぞれのＯＮＵ（加入者宅）１１５1、１１５2、……１１５nに到達している。このネットワークシステムでは、ＯＬＴから光ファイバ１１２内に送出されたパケットは、分岐装置１１３でそれぞれの方向に分岐し、光ファイバ１１４1、１１４2、……１１４nを経てＯＮＵ１１５1、１１５2、……１１５nに到達する。そして、それぞれのＯＮＵ１１５1、１１５2、……１１５nに接続されたパーソナルコンピュータ等の通信端末１１６1、１１６2、……１１６nまでこれらのパケットが送られる。各通信端末１１６1、１１６2、……１１６nは、自端末に対応するパケットのみを内部に取り込み、これ以外のパケットについては廃棄する。
【０００９】
ＥＰＯＮを使用したこのネットワークシステムでは、１台のＯＬＴ１１１と複数のＯＮＵ１１５1、１１５2、……１１５nを、ＬＬＩＤ（Logical Link ID:ロジカルリンク識別子）を用いて、ポイント・ツー・マルチポイント（１対多）のイーサネット（登録商標）接続を実現している。このロジカルリンク識別子は、従来のイーサネット（登録商標）のＭＡＣフレームのプリアンブルに２バイト構成で組み込まれており、ＥＰＯＮ区間としてのＯＬＴ１１１とＯＮＵ１１５1、１１５2、……１１５nの区間のみで使用されるようになっている。
【００１０】
このようなロジカルリンク識別子を使用すると、ＯＬＴ１１１から１本の光ファイバ１１２に送出されたパケットは、それぞれのＯＮＵ１１５1、１１５2、……１１５nでロジカルリンク識別子を調べられる。そして、自己のロジカルリンク識別子のパケットのみが取り込まれ、それ以外のパケットは廃棄されることになる。
【００１１】
すなわち、このようなロジカルリンク識別子をＥＰＯＮに使用することで、ＯＬＴ１１１とＯＮＵ１１５を結ぶロジカルなリンクの識別が可能になる。したがって、たとえばＯＬＴ１１１からＯＮＵ１１５1に送られてくるパケットのうち、そのＯＮＵ１１５1の配下の通信端末１１６1に関係しないパケットをＯＮＵの段階で廃棄するといったフィルタ処理が可能になる。
【００１２】
ところで、このようなフィルタ処理はパケットの送られる上流側で行うほど、下流側のトラヒックを減少させ、個々の通信端末１１６1、１１６2、……１１６nに到達する不要なパケットの量を減少させることができる。しかしながら、図２０に示したＥＰＯＮを使用したネットワークシステムでは、分岐装置１１３が受動的なデバイスである。このため、図１９に示した通信端末１０４1、１０４2、……１０４nの直前に配置された加入者回線収容装置１０１と異なり、分岐装置１１３でフィルタ処理等の処理を行うことができない。
【００１３】
また、ＯＬＴ１１１ではロジカルリンク識別子は論理的な識別子である。このため、それぞれのＯＮＵ１１５1、１１５2、……１１５nに物理的に対応付けた物理ポートを使用したフィルタ処理ができない。すなわち、このような光ネットワークシステムでは、ＯＮＵ１１５よりもアップリンク側で効率的なフィルタ処理を行うことができない。
【００１４】
以上、フィルタ処理について説明したが、これ以外の各種処理をＯＮＵよりもアップリンク側で行うとき同様の問題がある。また、通信端末側からＯＬＴ方向に送られるパケットについても同様の問題がある。
【００１５】
そこで本発明の目的は、物理ポートを認識した各種処理をＯＮＵ単位で可能とする光ネットワークのセンタ側終端装置を提供することにある。
【課題を解決するための手段】
【００１６】
請求項１記載の発明では、（イ）受動的な分岐装置を経由して接続先のそれぞれの加入者側終端装置までのそれぞれの論理的なリンクを識別するためのロジカルリンク識別子をこれらの加入者側終端装置と個別に対応付けて記憶したロジカルリンク識別子記憶手段と、（ロ）前記したそれぞれの加入者側終端装置に対応付けてこれらを通過してそれぞれの配下の通信端末に送出されるべきパケットに対する処理内容を記憶した処理内容記憶手段と、（ハ）加入者側終端装置に送出されるパケットに対して処理内容記憶手段の記憶内容に応じた処理を行う処理手段とを光ネットワークのセンタ側終端装置に具備させる。
【００１７】
すなわち請求項１記載の発明では、加入者側終端装置とロジカルリンク識別子を個別に対応付けて記憶したロジカルリンク識別子記憶手段と、個々の加入者側終端装置とそれらを経て通信端末に送出されるべきパケットに対する処理内容を記憶した処理内容記憶手段を用意することで、ロジカルリンクと個々の加入者側終端装置という物理的な概念を対応付け、加入者側終端装置に送出されるパケットに対して処理内容記憶手段の記憶内容に応じた処理をセンタ側終端装置で可能にしている。ここで、加入者側終端装置はロジカルリンク識別子をそれぞれ複数含むことが可能である。
【００１８】
請求項２記載の発明では、（イ）受動的な分岐装置を経由して接続先のそれぞれの加入者側終端装置までのそれぞれの論理的なリンクを識別するためのロジカルリンク識別子をこれらの加入者側終端装置と個別に対応付けて記憶したロジカルリンク識別子記憶手段と、（ロ）前記したそれぞれの加入者側終端装置に対応付けてこれらを通過してそれぞれの配下の通信端末に送出されるべきパケットに対する処理内容を記憶した処理内容記憶手段と、（ハ）加入者側終端装置から受信したパケットに対して処理内容記憶手段の記憶内容に応じた処理を行う処理手段とを光ネットワークのセンタ側終端装置に具備させる。
【００１９】
すなわち請求項２記載の発明では、加入者側終端装置とロジカルリンク識別子を個別に対応付けて記憶したロジカルリンク識別子記憶手段と、個々の加入者側終端装置とそれらを経て通信端末に送出されるべきパケットに対する処理内容を記憶した処理内容記憶手段を用意することで、ロジカルリンクと個々の加入者側終端装置という物理的な概念を対応付け、加入者側終端装置から受信したパケットに対して処理内容記憶手段の記憶内容に応じた処理をセンタ側終端装置で可能にしている。ここで、加入者側終端装置はロジカルリンク識別子をそれぞれ複数含むことが可能である。
【発明の効果】
【００２０】
以上説明したように、本発明によれば、センタ側終端装置と加入者側終端装置の間で使用されるロジカルリンク識別子を、センタ側終端装置側で加入者側終端装置に対応付けたので、センタ側終端装置で個々の加入者側終端装置あるいはこれらに対応する物理ポートを認識した加入者側終端装置ごとの処理が可能になる。このため、加入者側終端装置の段階でそれぞれの通信端末に対するフィルタ処理等の所定の処理を行うよりも、より効率的な処理が可能になる。
【発明を実施するための最良の形態】
【００２１】
以下実施例につき本発明を詳細に説明する。
【実施例１】
【００２２】
図１は、本発明の第１の実施例におけるロジカルリンク識別装置の適用される光ネットワークシステムの概要を表わしたものである。この光ネットワークシステム２００は、イーサネット（登録商標）をベースにパケット通信を行うパケット通信ネットワーク２０１を用いるシステムである。本実施例のパケット通信ネットワーク２０１は、ネットワーク間のデータ交換を実現するためのルータ２０２を介して、加入者通信網における局側の終端装置としてのＯＬＴ（Optical Line Terminal：光加入者先端局装置）２０４と接続されている。ＯＬＴ（センタ側終端装置）２０４から図で右側の部分には、ＥＰＯＮによるネットワークが構築されている。
【００２３】
すなわち、ＯＬＴ２０４に一端を接続した第１の光ファイバ２０５1の他端には、分岐装置としての第１のスプリッタ２０６1が接続されている。第１のスプリッタ２０６1は、光の合波および分波を行う受動素子であり、分岐側にｍ本の光ファイバ２０７11〜２０７1mの一端がそれぞれ接続されており、これらの他端には１つずつＯＮＵ（加入者側終端装置）２０８11〜２０８1mが接続されている。これらのＯＮＵ２０８11〜２０８1mには、それぞれ対応してパーソナルコンピュータ等の通信端末２０９11〜２０９1mが所定数（この例では１台ずつを図示。）接続されており、全体として第１のＥＰＯＮ２１０1を構成している。
【００２４】
ＯＬＴ２０４には第１の光ファイバ２０５1の他に、第ｎの光ファイバ２０５nまでの光ファイバ２０５2〜２０５nのそれぞれ一端が接続されている。ただし第１の光ファイバ２０５1および第ｎの光ファイバ２０５n以外の図示は省略している。第２〜第ｎの光ファイバ２０５2〜２０５nを使用したそれぞれのＥＰＯＮは、第１の光ファイバ２０５1を使用したＥＰＯＮと実質的に同一構成となっている。このため、これの説明は省略する。本実施例では第１の光ファイバ２０５1を使用したＥＰＯＮを一例として具体的な説明を行うことにする。
【００２５】
図２は、図１に示したＯＬＴとＯＮＵの構成の要部を表わしたものである。ＯＬＴ２０４は、図１に示したルータ２０２とＧｂＥ（Giga bit Ethernet（登録商標））伝送用の光ファイバ２２１によって接続された入出力処理部２２２と、この入出力処理部２２２と接続されロジカルリンク識別子をパケットに付与するロジカルリンク識別子加除部２２３と、ＬＡＮの代表的な接続方式の標準を規定したＩＥＥＥ（The Institute of Electrical and Electronics Engineers, Inc.）８０２．３に基づくプロトコルによる通信制御部としてのＭＰＣＰ（Multi Point Control Protocol）２２４を備えている。また、ＯＬＴ２０４内には、加入者処理データベース２２５と、ロジカルリンク識別子データベース２２６の２種類のデータベースが備えられている。ＯＬＴ２０４内には、図示しないＣＰＵ（中央処理装置）が備えられており、同じく図示しない記録媒体に格納された制御プログラムを実行することで、ＯＬＴ２０４としての所定の機能を実現するようになっている。
【００２６】
図３は、加入者処理データベースの内容の概要を示したものである。加入者処理データベース２２５には、図１に示したＯＮＵ２０８11〜２０８1mを示す加入者番号と、それぞれに対する処理内容とが対応付けて格納されている。
【００２７】
図４は、ロジカルリンク識別子データベースの概要を表わしたものである。ロジカルリンク識別子データベース２２６には、図１に示したＯＮＵ２０８11〜２０８1m等の加入者宅を示す加入者番号と、これらに対応したロジカルリンク識別子と、これらＯＮＵ２０８11〜２０８1m等に個別に割り当てられたＭＡＣ（Media Access Control）アドレス（ＯＮＵ  ＭＡＣ）との関係が記されている。
【００２８】
図２に戻って説明を続ける。ＯＮＵ２０８11〜２０８1m〜２０８n1〜２０８nmは、すべて同一の構成となっている。そこで第１１のＯＮＵ２０８11を例にとって説明する。第１１のＯＮＵ２０８11は、光ファイバ２０７11の一端に接続されたＭＰＣＰ２６１と、これに対して第１１のＯＮＵ２０８11に割り当てられたＭＡＣ（Media Access Control）アドレスとしてのＯＮＵ  ＭＡＣアドレスを与えるＯＮＵ  ＭＡＣアドレス部２６２と、ＭＰＣＰ２６１と図１に示した通信端末２０９11とを仲介する入出力処理部２６３とを備えている。
【００２９】
図５は、このような光ネットワークシステムで、ＯＮＵから送出されてきたパケットのＯＬＴ側での処理の様子を表わしたものである。この処理の前提として、たとえば第１１のＯＮＵ２０８11は、図１に示した通信端末２０９11からパケットが送られてくると、これをＩＥＥＥ８０２．３におけるＭＰＣＰの規定に基づいて、ロジカルリンク識別子を付加してＯＬＴ２０４に送信する。
【００３０】
ＯＬＴ２０４は、パケット（フレーム）の受信を待機している（ステップＳ３０１）。そして、たとえば第１１のＯＮＵ２０８11からパケットを受信すると（Ｙ）、そのパケットに組み込まれているロジカルリンク識別子を取得する（ステップＳ３０２）。第１のＥＰＯＮ２１０1におけるイーサネット（登録商標）のＭＡＣフレームには、２バイトのロジカルリンク識別子が組み込まれている。
【００３１】
ＯＬＴ２０４は、図２および図４に示したロジカルリンク識別子データベース２２６を検索して、ステップＳ３０２で取得した「ロジカルリンク識別子」のエントリを確認する（ステップＳ３０３）。そして、これに対応する加入者番号を読み出す（ステップＳ３０４）。そして、ロジカルリンク識別子加除部２２３でそのロジカルリンク識別子を取り外す（ステップＳ３０５）。
【００３２】
次に、入出力処理部２２２は、ステップＳ３０４で読み出した「加入者番号」をキーとして、加入者処理データベース２２５のエントリを確認する（ステップＳ３０６）。そして、その加入者番号に対応する処理内容を実施する（ステップＳ３０７）。たとえば、第１１のＯＮＵ２０８11の加入者番号に対応させて、特定の宛先のパケットを廃棄処理するような処理内容が加入者処理データベース２２５に格納されていたとする。この場合、ＯＬＴ２０４は第１１のＯＮＵ２０８11から送られてきたパケットの宛先をチェックして、該当するパケットであれば廃棄することになる。
【００３３】
以上のような処理が行われたパケットは、ＯＬＴ２０４から図示しないネットワークポートに送信することになる（ステップＳ３０８）。本実施例では、ＯＬＴ２０４から図１に示したルータ２０２へ向けてパケットが送出される。
【００３４】
図６は、これとは逆にＯＬＴを経由してＯＮＵ側に送られるパケットの処理の様子を表わしたものである。ＯＬＴ２０４は、図１に示すルータ２０２からパケットが受信されるのを待機している（ステップＳ３２１）。パケットが受信されると（Ｙ）、送信先のアドレスを参照して、そのパケットがＯＮＵ２０８11〜２０８1mのどれに受信されるかをこれらの受信ポートを特定することで判別し、該当するＯＮＵ２０８の加入者番号を判定する（ステップＳ３２２）。判定結果として得られた「加入者番号」を加入者処理データベース２２５（図３）で検索して、エントリを確認する（ステップＳ３２３）。そして、この加入者番号に対応する処理内容をそのパケットに対して実施する（ステップＳ３２４）。たとえば、前記したフィルタ処理のような処理が行われる。
【００３５】
次に、ＯＬＴ２０４は、判定した「加入者番号」をキーとして、ロジカルリンク識別子データベース２２６のエントリを確認する（ステップＳ３２５）。そして、その加入者番号に対応するロジカルリンク識別子をロジカルリンク識別子加除部２２３に引き渡す（ステップＳ３２６）。ロジカルリンク識別子加除部２２３は、該当するパケットにそのロジカルリンク識別子を付与する（ステップＳ３２７）。ＭＰＣＰ２２４は、このパケットをＩＥＥＥ８０２．３のプロトコルに従って光ファイバ２０５に送出する（ステップＳ３２８）。これにより、ロジカルリンク識別子の付与されたパケットが、該当するＯＮＵ２０８に送られることになる。
【００３６】
このパケットは受信先のＯＮＵ２０８でロジカルリンクが識別可能なので、必要に応じて更なる処理を行うことも可能である。
【００３７】
図７は、ロジカルリンク識別子データベースの作成および更新のための前処理の様子を表わしたものである。この前処理では、ロジカルリンク識別子データベース２２６におけるＯＮＵ  ＭＡＣアドレスをキーとして、それぞれ対応する加入者番号を登録する（ステップＳ３４１）。
【００３８】
図８は、ロジカルリンク識別子データベースの更新処理の様子を表わしたものである。まず、ＩＥＥＥ８０２．３のプロトコルに従って、ＭＰＣＰのプロトコルに従ったパケットを更新対象のＯＮＵ２０８（図１参照）に送出する（ステップＳ３６１）。このパケットによってＯＮＵ２０８の接続が検出されたら（ステップＳ３６２：Ｙ）、予め用意しておいたロジカルリンク識別子の一覧から、現在使用されていないロジカルリンク識別子を１つ払い出す（ステップＳ３６３）。
【００３９】
次に、ステップＳ３６１で接続したＯＮＵ２０８のＭＡＣアドレスをそのＯＮＵ２０８から収集する（ステップＳ３６４）。そして、ロジカルリンク識別子データベース２２６における対応する加入者番号の箇所にこのＯＮＵ  ＭＡＣとロジカルリンク識別子を登録する（ステップＳ３６５）。
【００４０】
このように本発明の第１の実施例では、ＯＬＴ２０４は図４に示したロジカルリンク識別子データベース２２６を作成すると共に、その更新を行う。これにより、このロジカルリンク識別子データベース２２６を最新の状態に保つので、常に配下のＯＮＵ２０８の状態を把握することができる。したがって、加入者処理データベース２２５にＯＮＵ２０８ごとの処理内容を登録しておくことで、ＯＬＴ２０４側でフィルタ処理等の各種の処理を、ＯＮＵ２０８単位に設けられた図示しない物理ポートを使用する等によって実施できることになる。
【実施例２】
【００４１】
図９は、本発明の第２の実施例におけるＯＬＴとＯＮＵの構成の要部を表わしたものである。この第２の実施例も、図１に示した光ネットワークシステム２００と同様のシステムに発明を適用している。したがって、図９で先の実施例と同一部分には同一の符号を付しており、これらの説明を適宜省略する。また、この第２の実施例で第１の実施例に対して変更された回路装置には、同一の符号に英字Ａを付加してその違いを明らかにしている。
【００４２】
本実施例のＯＬＴ（センタ側終端装置）２０４Ａは、図１に示したルータ２０２とＧｂＥ伝送用の光ファイバ２２１によって接続された入出力処理部２２２と、この入出力処理部２２２と接続されロジカルリンク識別子をパケットに付与する固定ロジカルリンク識別子加除部２２３Ａと、ロジカルリンク識別子の変換を行う固定・浮動ロジカルリンク識別子変換部２３１と、ＩＥＥＥ８０２．３に基づくプロトコルによる通信制御部としてのＭＰＣＰ２２４を備えている。また、ＯＬＴ２０４Ａ内には、加入者処理データベース２２５と、固定ロジカルリンク識別子データベース２２６Ａと、固定・浮動ロジカルリンク変換データベース２３２が備えられている。ＯＬＴ２０４Ａ内には、図示しないＣＰＵが備えられており、同じく図示しない記録媒体に格納された制御プログラムを実行することで、ＯＬＴ２０４Ａとしての所定の機能を実現するようになっている。
【００４３】
図１０は、固定ロジカルリンク識別子データベースの概要を表わしたものである。固定ロジカルリンク識別子データベース２２６Ａには、図１に示したＯＮＵ２０８11〜２０８1m等の加入者宅を示す加入者番号と、これらに対応した固定ロジカルリンク識別子との関係が記されている。固定ロジカルリンク識別子は、ユーザ（光ファイバ２０５中のロジカルリンク）が設定できるようになっている。
【００４４】
図１１は、固定・浮動ロジカルリンク変換データベースの概要を表わしたものである。固定・浮動ロジカルリンク変換データベース２３２には、図１０で説明した固定ロジカルリンク識別子と、ロジカルリンク識別子が変動する浮動ロジカルリンク識別子および図１に示したＯＮＵ２０８11〜２０８1m等の加入者宅に個別に割り当てられたＭＡＣアドレスとの関係が記されている。
【００４５】
図１２は、このような光ネットワークシステムで、ＯＮＵから送出されてきたパケットのＯＬＴ側での処理の様子を表わしたものである。この処理の前提として、たとえば第１１のＯＮＵ２０８11は、図１に示した通信端末２０９11からパケットが送られてくると、これをＩＥＥＥ８０２．３におけるＭＰＣＰの規定に基づいて、ロジカルリンク識別子を付加してＯＬＴ２０４Ａに送信する。
【００４６】
ＯＬＴ２０４Ａは、パケット（フレーム）の受信を待機している（ステップＳ４０１）。そして、たとえば第１１のＯＮＵ２０８11からパケットを受信すると（Ｙ）、そのパケットに組み込まれているロジカルリンク識別子を取得する（ステップＳ４０２）。第１のＥＰＯＮ２１０1におけるイーサネット（登録商標）のＭＡＣフレームには、２バイトのロジカルリンク識別子が組み込まれている。
【００４７】
ＯＬＴ２０４Ａは、図９および図１１に示した固定・浮動ロジカルリンク変換データベース２３２における「浮動ロジカルリンク識別子」のエントリを確認して（ステップＳ４０３）、対応する固定ロジカルリンク識別子を取得する（ステップＳ４０４）。そして、固定・浮動ロジカルリンク識別子変換部２３１で、浮動ロジカルリンク識別子を固定ロジカルリンク識別子に変換する（ステップＳ４０５）。
【００４８】
次に、図９および図１０に示した固定ロジカルリンク識別子データベース２２６Ａから、この変換後の「固定ロジカルリンク識別子」のエントリをキーとして、対応する加入者番号を取得する（ステップＳ４０６）。そして、固定ロジカルリンク識別子加除部２２３Ａで、変換後の固定ロジカルリンク識別子を取り外す（ステップＳ４０７）。なお、入出力処理部２２２が固定ロジカルリンク識別子を加除する機能を備えていれば、この部分で除去することができるので、変換後の固定ロジカルリンク識別子をそのまま付加していてもよい。この点については、第１の実施例の場合も同様である。
【００４９】
この後、固定ロジカルリンク識別子データベース２２６Ａから取得した「加入者番号」をキーとして、図３に示した加入者処理データベース２２５のエントリを確認する（ステップＳ４０８）。そして、「加入者番号」に対応する「処理内容」を入出力処理部２２２で実施する（ステップＳ４０９）。
【００５０】
以上のような処理が行われたパケットは、ＯＬＴ２０４Ａから図示しないネットワークポートへ送信することになる（ステップＳ４１０）。本実施例では、ＯＬＴ２０４Ａから図１に示したルータ２０２へ向けてパケットが送出される。
【００５１】
図１３は、これとは逆にＯＬＴを経由してＯＮＵ側に送られるパケットの処理の様子を表わしたものである。ＯＬＴ２０４Ａは、図１に示すルータ２０２からパケットが受信されるのを待機している（ステップＳ４３１）。パケットが受信されると（Ｙ）、送信先のアドレスを参照して、そのパケットがＯＮＵ２０８11〜２０８1mのどれに受信されるかをこれらの受信ポートを特定することで判別し、該当するＯＮＵ２０８の加入者番号を判定する（ステップＳ４３２）。判定結果として得られた「加入者番号」を加入者処理データベース２２５（図３）で検索して、エントリを確認する（ステップＳ４３３）。そして、この加入者番号に対応する処理内容をそのパケットに対して実施する（ステップＳ４３４）。たとえば、前記したフィルタ処理のような処理が行われる。
【００５２】
次に、ＯＬＴ２０４Ａは、判定した「加入者番号」をキーとして、固定ロジカルリンク識別子データベース２２６Ａのエントリを確認する（ステップＳ４３５）。そして、その加入者番号に対応するロジカルリンク識別子を固定ロジカルリンク識別子加除部２２３Ａに引き渡す（ステップＳ４３６）。固定ロジカルリンク識別子加除部２２３Ａは、該当するパケットにその固定ロジカルリンク識別子を付与する（ステップＳ４３７）。次に、固定・浮動ロジカルリンク変換データベース２３２を使用して、その「固定ロジカルリンク識別子」のエントリから対応する浮遊ロジカルリンク識別子を取得する（ステップＳ４３８）。そして、固定・浮動ロジカルリンク識別子変換部２３１は該当するパケットの固定ロジカルリンク識別子を、その取得した浮動ロジカルリンク識別子に変換する（ステップＳ４３９）。ＭＰＣＰ２２４は、この変換後のパケットをＩＥＥＥ８０２．３のプロトコルに従って光ファイバ２０５に送出する（ステップＳ４４０）。これにより、ロジカルリンク識別子の付与されたパケットが、該当するＯＮＵ２０８に送られることになる。
【００５３】
このパケットは受信先のＯＮＵ２０８でロジカルリンクが識別可能なので、必要に応じて更なる処理を行うことも可能である。
【００５４】
図１４は、固定ロジカルリンク識別子データベースの作成および更新のための前処理の様子を表わしたものである。この前処理では、まず図１０に示した固定ロジカルリンク識別子データベース２２６Ａに、それぞれ対応する加入者番号を登録する（ステップＳ４６１）。次に、図１１に示した固定・浮動ロジカルリンク変換データベース２３２に、そのＯＮＵ  ＭＡＣアドレスをキーとして、固定ロジカルリンク識別子を登録する（ステップＳ４６２）。
【００５５】
図１５は、固定・浮動ロジカルリンク変換データベースの更新処理の様子を表わしたものである。まず、ＩＥＥＥ８０２．３のプロトコルに従って、ＭＰＣＰのプロトコルに従ったパケットを更新対象のＯＮＵ２０８（図１参照）に送出する（ステップＳ４８１）。このパケットによってＯＮＵ２０８の接続が検出されたら（ステップＳ４８２：Ｙ）、予め用意しておいたロジカルリンク識別子の一覧から、現在使用されていないロジカルリンク識別子を１つ払い出す（ステップＳ４８３）。
【００５６】
次に、ステップＳ４８１で接続したＯＮＵ２０８のＭＡＣアドレスをそのＯＮＵ２０８から収集する（ステップＳ４８４）。そして、固定・浮動ロジカルリンク変換データベース２３２における対応する「ＯＮＵ  ＭＡＣ」の箇所に浮動ロジカルリンク識別子として、払い出したロジカルリンク識別子を登録する（ステップＳ４８５）。
【００５７】
このように本発明の第２の実施例では、ＯＬＴ２０４Ａは図１０に示した固定ロジカルリンク識別子データベース２２６Ａと図１１に示した固定・浮動ロジカルリンク変換データベース２３２を作成すると共に、これらの更新を行う。これにより、浮動ロジカルリンク識別子と固定ロジカルリンク識別子の対応付けが確保され、ＯＬＴ２０４側でフィルタ処理等の各種の処理をＯＮＵ２０８単位で実施できることになる。
【００５８】
＜発明の変形例＞
【００５９】
なお、以上説明した第１および第２の実施例では、特に言及しなかったが、第１の実施例におけるＯＬＴ２０４あるいは第２の実施例におけるＯＬＴ２０４Ａの一部を１つの集積回路として構成することができる。
【００６０】
図１６は、図２に示した第１の実施例のＯＬＴにおける集積回路としての２つの区分け方法を示したものである。実線で示した第１の集積回路区分４０１では、ロジカルリンク識別子加除部２２３、ＭＰＣＰ２２４およびロジカルリンク識別子データベース２２６が１つの集積回路として構成される。また、破線で示した第２の集積回路区分４０２では、ロジカルリンク識別子加除部２２３およびＭＰＣＰ２２４が１つの集積回路として構成される。
【００６１】
このうち、第１の集積回路区分４０１を第２の集積回路区分４０２と比較すると、ロジカルリンク識別子データベース２２６が集積回路内に含まれる。したがって、ロジカルリンク識別子の情報をこの集積回路内に登録することができ、特定の加入者へのパケットに対するロジカルリンク識別子の加除を、この集積回路内で自律的に実行することができる。ただし、ロジカルリンク識別子データベース２２６が集積回路に内蔵されているので、その分だけ集積回路の規模が増大するというデメリットがある。
【００６２】
一方、第２の集積回路区分４０２で集積回路を作製する場合には、この集積回路が組み込まれたＯＬＴ２０４からＯＮＵ２０８方向の下り方向にパケットが転送される場合、パケットの転送先に当たる加入者に該当するロジカルリンク識別子をパケットごとに指示し、また、これとは逆の上り方向の場合には、除去したロジカルリンクの値をこの集積回路から出力することによって、集積回路自体の簡素化を実現することができる。ただし、第２の集積回路区分４０２で作製された集積回路の場合には、パケットの転送に同期して付与あるいは除去したロジカルリンク識別子の管理が必要になるデメリットがある。
【００６３】
図１７は、図１６に対応するもので、第２の実施例の変形例として、ＯＬＴにおける集積回路としての２つの区分け方法を示したものである。
【００６４】
実線で示した第１の集積回路区分４１１では、固定ロジカルリンク識別子加除部２２３Ａ、ＭＰＣＰ２２４、固定ロジカルリンク識別子データベース２２６Ａ、固定・浮動ロジカルリンク識別子変換部２３１および固定・浮動ロジカルリンク変換データベース２３２とが１つの集積回路として構成される。また、破線で示した第２の集積回路区分４１２では、固定ロジカルリンク識別子加除部２２３Ａ、ＭＰＣＰ２２４、固定・浮動ロジカルリンク識別子変換部２３１および固定・浮動ロジカルリンク変換データベース２３２とが１つの集積回路として構成されることになる。第１の集積回路区分４１１と第２の集積回路区分４１２の得失については、図１６に示した第１の実施例の２つの区分け方法について説明したものと同様である。
【００６５】
なお、本発明の第１の実施例では、加入者処理データベース２２５に加入者番号を格納することにしたが、加入者番号に代えて加入者に相当するＭＡＣを格納するものであってもよい。この場合、加入者処理データベース２２５からロジカルリンク識別子データベース２２６に対する加入者番号の通知は、加入者に相当するＭＡＣの通知として行われる。このように加入者番号に相当するＭＡＣを格納しておくことで、特別な加入者番号を用意する必要がない。この場合、加入者番号の通知の代わりにＭＡＣアドレスを通知することになる。もちろん、加入者番号のエントリごとに対応するＭＡＣアドレスをデータベースに格納しておき、間接的にＭＡＣアドレスを使用して加入者番号を通知することも可能である。
【００６６】
図１８は、本発明の他の変形例として、マルチキャスト対応加入者管理テーブルの一例を示したものである。マルチキャスト対応加入者管理テーブル４４１は、加入者番号、ロジカルリンク識別子およびマルチキャストグループ識別子の組み合わせが記載されている。
【００６７】
マルチキャスト・パケットに対するロジカルリンク識別子の処理については、加入者処理データベースを拡張して、各加入者に対応するマルチキャストグループ識別子を管理し、かつ、ロジカルリンク識別子を、マルチキャスト・パケットであるフラグと共に送信することで、複数のＯＮＵに対するマルチキャスト通信を実現することができる。
【図面の簡単な説明】
【００６８】
【図１】本発明の一実施例におけるロジカルリンク識別装置の適用される光ネットワークシステムの概要を表わしたシステム構成図である。
【図２】図１に示したＯＬＴとＯＮＵの構成の要部を表わしたブロック図である。
【図３】第１の実施例における加入者処理データベースの概要を示す説明図である。
【図４】第１の実施例におけるロジカルリンク識別子データベースの概要を表わした説明図である。
【図５】第１の実施例でＯＮＵから送出されてきたパケットのＯＬＴ側での処理の様子を表わした流れ図である。
【図６】第１の実施例でＯＬＴを経由してＯＮＵ側に送られるパケットの処理の様子を表わした流れ図である。
【図７】第１の実施例でロジカルリンク識別子データベースの作成および更新のための前処理の様子を表わした流れ図である。
【図８】第１の実施例でロジカルリンク識別子データベースの更新処理の様子を表わした流れ図である。
【図９】本発明の第２の実施例におけるＯＬＴとＯＮＵの構成の要部を表わしたブロック図である。
【図１０】第２の実施例における固定ロジカルリンク識別子データベースの概要を表わした説明図である。
【図１１】第２の実施例における固定・浮動ロジカルリンク変換データベースの概要を表わした説明図である。
【図１２】第２の実施例でＯＮＵから送出されてきたパケットのＯＬＴ側での処理の様子を表わした流れ図である。
【図１３】第２の実施例でＯＬＴを経由してＯＮＵ側に送られるパケットの処理の様子を表わした流れ図である。
【図１４】第２の実施例で固定ロジカルリンク識別子データベースの作成および更新のための前処理の様子を表わした流れ図である。
【図１５】第２の実施例で固定・浮動ロジカルリンク変換データベースの更新処理の様子を表わした流れ図である。
【図１６】第１の実施例の変形例として、ＯＬＴの一部を集積回路化する際の１つの形態を表わした説明図である。
【図１７】第２の実施例の変形例として、ＯＬＴの一部を集積回路化する際の１つの形態を表わした説明図である。
【図１８】本発明の変形例としてのマルチキャスト対応加入者管理テーブルの一部を示した説明図である。
【図１９】ＡＤＳＬ通信技術を使用したネットワークシステムの要部を表わしたシステム構成図である。
【図２０】ＥＰＯＮ通信技術を使用したネットワークシステムの要部を表わしたシステム構成図である。
【符号の説明】
【００６９】
２００  光ネットワークシステム
２０４  ＯＬＴ（センタ側終端装置）
２０６  スプリッタ
２０８  ＯＮＵ（加入者側終端装置）
２０９  通信端末
２２２  入出力処理部
２２３  ロジカルリンク識別子加除部
２２３Ａ  固定ロジカルリンク識別子加除部
２２４、２６１  ＭＰＣＰ
２２５  加入者処理データベース
２２６  ロジカルリンク識別子データベース
２２６Ａ  固定ロジカルリンク識別子データベース
２３２  固定・浮動ロジカルリンク変換データベース
２６３  入出力処理部
【図１】
2006135677.tif 000003
【図２】
2006135677.tif 000004
【図３】
2006135677.tif 000005
【図４】
2006135677.tif 000006
【図５】
2006135677.tif 000007
【図６】
2006135677.tif 000008
【図７】
2006135677.tif 000009
【図８】
2006135677.tif 000010
【図９】
2006135677.tif 000011
【図１０】
2006135677.tif 000012
【図１１】
2006135677.tif 000013
【図１２】
2006135677.tif 000014
【図１３】
2006135677.tif 000015
【図１４】
2006135677.tif 000016
【図１５】
2006135677.tif 000017
【図１６】
2006135677.tif 000018
【図１７】
2006135677.tif 000019
【図１８】
2006135677.tif 000020
【図１９】
2006135677.tif 000021
【図２０】
2006135677.tif 000022